(57)【特許請求の範囲】
【請求項１】
循環ポンプと、熱交換器とパイロット式電磁開閉弁を夫々備えた１対の並列通路とを配管で接続した循環回路を有し、前記循環回路を流れる流量を検知する流量検知手段を備える温水装置において、
一方の並列通路に設けられた前記パイロット式電磁開閉弁を開放させ、前記循環ポンプを駆動した際に前記流量検知手段で検知される循環流量が前記規定流量以下である場合に、他の並列通路に設けられた前記パイロット式電磁開閉弁を開放させ、前記循環流量が前記規定流量以上となったときに、前記一方の並列通路に設けられた前記パイロット式電磁開閉弁のプランジャが進退を繰り返すように電磁コイルを駆動することを特徴とする請求項１に記載の温水装置。
【請求項２】
前記温水装置には貯湯タンクが備えられ、この貯湯タンクに貯留された温水を循環させることを特徴とする請求項１に記載の温水装置。
【請求項３】
前記パイロット式電磁開閉弁のプランジャが進退を繰り返すように電磁コイルを駆動する際に、前記循環ポンプの駆動と停止を繰り返し、前記循環ポンプの駆動中に前記パイロット式電磁開閉弁が開閉するように制御することを特徴とする１又は２に記載の温水装置。
【発明の詳細な説明】
【技術分野】
【０００１】
本発明は、循環回路にパイロット式電磁弁を備えた温水装置に関し、特にパイロット式電磁弁の詰まりを解消可能な温水装置に関する。
【背景技術】
【０００２】
従来の循環回路にパイロット式電磁弁を備えた温水装置において、循環回路で発生したエラーの原因の一部はパイロット式電磁弁の故障であることが判明している。パイロット式電磁弁の主な故障原因としては、プランジャを駆動する電磁コイルの断線や、パイロット弁とパイロットポートの間の異物の噛み込み、固着等による詰まりが挙げられる。
【０００３】
こうした詰まりは給湯装置においても発生し、特許文献1には浴槽注湯弁に詰まりが発生して湯張り運転が停止しない場合に、浴槽注湯弁の開放と閉止を繰り返す技術が開示されている。
【先行技術文献】
【特許文献】
【０００４】
【特許文献１】特開２００８−８２６３６号公報
【発明の概要】
【発明が解決しようとする課題】
【０００５】
しかし、パイロット弁とパイロットポートの間の異物の噛み込みや固着については再現性が乏しいため、現状では発生防止策が施されておらず、回避が困難である。また、特許文献１の技術では、開放と閉止を繰り返す際には、詰まりが生じた弁には水道圧を減圧した給水圧によって貯湯タンクから押し出される弱い水圧しかかからず詰まりを解消する効果が小さい。
【０００６】
本発明の目的は、循環回路にパイロット式電磁弁を有する温水装置において、パイロット式電磁弁の詰まりを解消可能な制御手段を有する温水装置を提供することである。
【課題を解決するための手段】
【０００７】
請求項１の温水装置は、循環ポンプと、熱交換器とパイロット式電磁開閉弁を夫々備えた１対の並列通路とを配管で接続した循環回路を有し、前記循環回路を流れる流量を検知する流量検知手段を備える温水装置において、一方の並列通路に設けられた前記パイロット式電磁開閉弁を開放させ、前記循環ポンプを駆動した際に前記流量検知手段で検知される循環流量が前記規定流量以下である場合に、他の並列通路に設けられた前記パイロット式電磁開閉弁を開放させ、前記循環流量が前記規定流量以上となったときに、前記一方の並列通路に設けられた前記パイロット式電磁開閉弁のプランジャが進退を繰り返すように電磁コイルを駆動することを特徴としている。
【０００８】
【０００９】
請求項２の温水装置は、請求項１において、前記温水装置には貯湯タンクが備えられ、この貯湯タンクに貯留された温水を循環させることを特徴としている。
【００１０】
請求項３の温水装置は、請求項１又は２において、前記パイロット式電磁弁のプランジャが進退を繰り返すように電磁コイルを駆動する際に、前記循環ポンプの駆動と停止を繰り返し、前記循環ポンプの駆動中に前記パイロット式電磁弁が開閉するように制御することを特徴としている。
【発明の効果】
【００１１】
【００１２】
請求項１の発明によれば、一方の並列通路の流量が規定流量以下の場合に、他方の並列通路が正常に流れることを確認して異常発生が一方の並列通路であることを特定し、異常が発生している一方の並列通路のパイロット式電磁開閉弁のプランジャを進退駆動させることにより、パイロットポートの異物噛み込みやパイロット弁の固着等による詰まりを解消することができる。
【００１３】
請求項２の発明によれば、貯湯タンクに貯留された温水を循環回路で循環させることにより、貯湯タンク内に堆積したスケール等が循環回路に備えられたパイロット式電磁開閉弁の詰まりを発生させても、パイロット式電磁開閉弁のプランジャを進退駆動させることにより、パイロットポートの異物噛み込みやパイロット弁の固着等による詰まりを解消することができる。
【００１４】
請求項３の発明によれば、パイロット式電磁開閉弁の詰まりを解消する為にパイロット式電磁開閉弁のプランジャを進退駆動させる際に、循環ポンプが駆動して循環回路を温水が流れている間にパイロット式電磁開閉弁が閉止するようにプランジャが駆動され、その後パイロット式電磁開閉弁が開放するようにプランジャが駆動されるので、プランジャの駆動と循環ポンプの駆動による水流及び水圧により、パイロット式電磁開閉弁の詰まりを解消することができる。
【図面の簡単な説明】
【００１５】
【図１】本発明の温水装置を示す概略構成図である。
【図２】パイロット式電磁弁の閉止状態を示す要部の断面図である。
【図３】パイロット式電磁弁の開放状態を示す要部の断面図である。
【図４】風呂追焚運転を示す図である。
【図５】温水暖房運転を示す図である。
【図６】貯湯タンクの湯水を利用した温水暖房運転を示す図である。
【図７】実施例1の循環回路監視制御のフローチャートである。
【図８】実施例２の循環回路監視制御のフローチャートである。
【図９】循環回路監視制御におけるリトライ動作のタイミングチャートである。
【発明を実施するための形態】
【００１６】
以下、本発明を実施するための形態について実施例に基づいて説明する。
【実施例１】
【００１７】
図１に基づいて、本発明の温水装置１を含む貯湯給湯装置Ｍについて説明する。
貯湯給湯装置Ｍは、温水装置１、風呂追焚回路２０、温水暖房回路２３、給湯通路５２等で構成され、温水装置１の湯水を給湯栓等に供給するものである。
【００１８】
温水装置１は、循環ポンプ２、循環流量センサ３（流量検知手段）、補助熱源機４、熱交換器部５が配管で環状に接続された循環回路７と、循環回路７の湯水の循環等を制御する制御ユニット９（制御手段）を有する。
【００１９】
循環回路７は、循環ポンプ２と循環流量センサ３を接続する通路部７ａ、循環流量センサ３と補助熱源機４の湯水の入口を接続する通路部７ｂ、補助熱源機４の湯水の出口と熱交換器部５を接続する通路部７ｃ、熱交換器部５と三方弁８を接続する通路部７ｄ、三方弁８と循環ポンプ２を接続する通路部７ｅを有している。循環ポンプ２を駆動し、熱交換器部５のパイロット式電磁弁１５（１８）を開放することにより、補助熱源機４で加熱された湯水が循環回路７を循環する。
【００２０】
補助熱源機４は、例えば、顕熱回収用熱交換器４ａ及び潜熱回収用熱交換器４ｂを有し、循環回路７を流れる湯水と燃料ガスの燃焼に伴い発生する燃焼ガスの顕熱及び潜熱との間で熱交換が行われ、湯水が加熱される。
【００２１】
熱交換器部５には、循環回路７の並列通路を形成する複数の並列通路部１３，１６が設けられ、並列通路部１３に風呂追焚用熱交換器１４と風呂追焚用開閉弁１５が直列に設けられ並列通路部１６に温水暖房用熱交換器１７と温水暖房用開閉弁１８が直列に設けられている。風呂追焚用開閉弁１５及び温水暖房用開閉弁１８には、流れる湯水の差圧を利用して開閉するパイロット式電磁開閉弁が使用されている。
【００２２】
風呂追焚用熱交換器１４は、循環回路７を流れる湯水との熱交換により浴槽１９に貯留された風呂追焚回路２０を流れる浴槽水を加熱するものであり、循環回路７の一部である１次側熱交換通路部１４ａと、風呂追焚回路２０の一部である２次側熱交換通路部１４ｂを有する。
【００２３】
温水暖房用熱交換器１７は、循環回路７を流れる湯水との熱交換により、温水暖房回路２３を流れる暖房水を加熱するものであり、循環回路７の一部である１次側熱交換通路部１７ａと、温水暖房回路２３の一部である２次側熱交換通路部１７ｂを有する。
【００２４】
次に、風呂追焚回路２０について説明する。
風呂追焚回路２０は、風呂循環ポンプ２１、風呂循環ポンプ２１と風呂追焚用熱交換器１４の２次側熱交換通路部１４ｂとを接続する熱交換器往き通路部２０ａ、２次側熱交換通路部１４ｂと浴槽１９とを接続する風呂往き通路部２０ｂ、浴槽１９と風呂循環ポンプ２１とを接続する風呂戻り通路部２０ｃを有している。風呂往き通路部２０ｂには温度センサ２２が設けられている。
【００２５】
次に、温水暖房回路２３について説明する。
温水暖房回路２３は、暖房水循環ポンプ２４、暖房水循環ポンプ２４と温水暖房用熱交換器１７の２次側熱交換通路部１７ｂとを接続する暖房熱交換器往き通路部２３ａ、２次側熱交換通路部１７ｂと浴室乾燥機等の温水暖房装置に接続する高温往き通路部２３ｂ、床暖房装置等に接続する低温往き通路部２３ｃ、暖房装置と暖房水の膨張を吸収する膨張タンク２５とを接続する暖房戻り通路部２３ｄ、膨張タンク２５と暖房水循環ポンプ２４を接続する通路部２３ｅを有している。高温往き通路部２３ｂには温度センサ２６が設けられている。
【００２６】
高温往き通路部２３ｂから分岐して低温往き通路部２３ｃと接続する高温分岐通路部２３ｆは、逆止弁２７を有し、暖房熱交換器往き通路部２３ａから分岐して低温往き通路部２３ｃと接続する低温分岐通路部２３ｇには開閉弁２８を有し、暖房高温往き通路部２３ｂと暖房戻り通路部２３ｄとを接続する暖房バイパス通路部２３ｈには、バイパス熱動弁２９を有している。
【００２７】
次に、風呂追焚用開閉弁１５及び温水暖房用開閉弁１８について説明する。
図２に示すように、風呂追焚用開閉弁１５及び温水暖房用開閉弁１８は、本体３０、１次側通路３１、２次側通路３２、１次側通路３１と２次側通路３２との間に形成された主弁座３３、ダイアフラム３４、パイロットポート３５、パイロット弁３６、プランジャ３７、ばね３８、電磁コイル３９、ブリードポート４０等を有するパイロット式電磁弁である。
【００２８】
１次側通路３１は、湯水が流入する主弁座３３の外側及び上側の通路であり、２次側通路３２は、１次側通路３１から流入した湯水が主弁座３３の内側を通じて流出する通路である。主弁座３３の上側に主弁座３３の内側の通路を開閉可能にダイアフラム３４が設けられ、ダイアフラム３４の中央部に設けられたパイロットポート３５の上端部はプランジャ３７の下端部のパイロット弁３６によって開閉可能であり、プランジャ３７に設けられたばね３８の弾性力によりプランジャ３７が下方に付勢されている。
【００２９】
プランジャ３７は磁性体であり、プランジャ３７の周囲を囲むコイル３９の通電によって上方に駆動されてばね３８が圧縮され、電磁コイル３９の通電を停止すると、圧縮されたばね３８の弾性力により下方に駆動される。ダイアフラム３４の主弁座３３の外側に相当する位置にはブリードポート４０が設けられ、ダイアフラム３４の上側に湯水が導入される。
【００３０】
図２に示すように、閉止状態では電磁コイル３９に通電されておらず、プランジャ３７が下方に位置してパイロット弁３６がパイロットポート３５を閉止し、ブリードポート４０から導入された湯水で満たされているダイアフラム３４の上側を含む１次側通路は湯水で満たされている。この湯水の圧力とばね３８の弾性力によりダイアフラム３４は下方に押されて主弁座３３の内側の２次側通路３２を塞ぎ、風呂追焚用開閉弁１５または温水暖房用開閉弁１８は閉止状態になっている。
【００３１】
電磁コイル３９に通電すると、プランジャ３７が上方に駆動されてパイロット弁３６が開放され、ダイアフラム３４の上側の湯水がパイロットポート３５を通って２次側通路３２へ流れ、ダイアフラム３４を下方へ押す圧力が低下する。すると、１次側通路３１の湯水の圧力によりダイアフラム３４が主弁座３３から持ち上げられ、ダイアフラム３４の下側で１次側通路３１と２次側通路３２が連通し、図３に示すように、風呂追焚用開閉弁１５または温水暖房用開閉弁１８は多くの湯水が流れる開放状態になる。
【００３２】
電磁コイル３９の通電を停止すると、ばね３８の弾性力によりプランジャ３７が下方に駆動され、パイロット弁３６がパイロットポート３５を閉止する。すると、ブリードポート４０から流入する湯水がダイアフラム３４の上側に溜まりダイアフラム３４を下方へ押す圧力が上昇する。この圧力とばね３８の弾性力によりダイアフラム３４が押し下げられて主弁座３３の内側の２次側通路３２が閉止され、図２に示すように、風呂追焚用開閉弁１５または温水暖房用開閉弁１８は閉止状態に戻る。
【００３３】
次に、貯湯タンク４１について説明する。
図１に示すように、温水装置1は貯湯タンク４１を有している。貯湯タンク４１は、外部熱源機４２で加熱された高温の湯水を貯留可能な密閉タンクで構成され、外部熱源機４２との間で外部熱源機４２に備えられた外部熱源機循環ポンプ４３により湯水が循環される貯湯循環回路４４を有する。貯湯循環回路４４は、貯湯タンク４１の下端部から低温の湯水が外部熱源機４２に供給され、外部熱源機４２で加熱された高温の湯水が貯湯タンク４１の上部に貯留されるように構成されている。
【００３４】
外部熱源機４２と貯湯タンク４１の間には三方弁４５によって切換え可能に構成された貯湯バイパス通路４６が設けられ、外部熱源機４２での湯水の加熱が不十分である場合に貯湯バイパス通路４６を介して外部熱源機４２による再加熱が可能である。尚、外部熱源機４２には、燃料電池発電装置の排熱を利用する熱源機や、外気の熱を利用するヒートポンプ式の熱源機等を使用することができる。
【００３５】
貯湯タンク４１の外周部には、下側から上側に向かって等間隔に複数の温度センサ（４１ａ〜４１ｄ）が順に設けられ、これら複数の温度センサ（４１ａ〜４１ｄ）により貯湯タンク４１内の複数の貯留層の湯水の温度を検知することができる。図示しないが、貯湯タンク４１の周囲は、貯留された湯水の降温を防ぐために断熱材で覆われている。
【００３６】
給水通路４７は、上水源からの低温の上水を貯湯タンク４１等に供給するものであり、上流給水通路部４７ａ、中間給水通路部４７ｂ、下流給水通路部４７ｃを有し、上流端が上水源に接続され、下流端が貯湯タンク４１の下端部に接続されている。上流給水通路部４７ａに減圧弁４８が設けられ、中間給水通路部４７ｂに逆止弁４９が設けられている。
【００３７】
中間給水通路部４７ｂと下流給水通路部４７ｃの間から循環回路７の通路部７ｄに接続するバイパス通路部５３が分岐されている。このバイパス通路部５３により、低温の上水を循環回路７に供給することができ、これとは反対に、循環回路７を流れる湯水をバイパス通路部５３から下流給水通路部４７ｃを介して貯湯タンク４１に導入することができる。
【００３８】
タンク出湯通路５４は、上流出湯通路部５４ａ、下流出湯通路部５４ｂを有し、上流端が貯湯タンク４１の上端部に接続され、下流端が出湯通路５２に接続されている。この上流出湯通路部５４ａと下流出湯通路部５４ｂの間から分岐されたタンク通路部５５は、三方弁８に接続されている。タンク通路部５５には逆止弁５９が設けられている。
【００３９】
三方弁８は、循環回路７の通路部７ｄと通路部７ｅの接続、または、タンク通路部５５と通路部７ｅの接続を択一的に切換えることができる。この三方弁８をタンク通路部５５と通路部７ｅの接続に切換えることにより、貯湯タンク４１に貯留されている湯水を循環回路７に導入することができる。このとき、補助熱源機４は作動させないが、作動させて湯水を加熱してもよい。
【００４０】
次に給湯通路５２について説明する。
給湯通路５２は、温水装置１の湯水や貯湯タンク４１に貯留された湯水や補助熱源機４で加熱された湯水を所望の給湯先に供給するものであり、タンク出湯通路５４の下流端が給湯通路５２の上流端と接続され、給湯通路５２の下流端が給湯栓に接続されている。また、補助熱源機４で加熱された湯水を給湯可能なように循環回路７の通路部７ｃから分岐された補助熱源機出湯通路５６が給湯通路５２の上流端に接続されている。補助熱源機出湯通路５６には給湯に切り替え可能な開閉弁５７が設けられている。
【００４１】
また、給湯通路５２は、高温の湯水が流れる上流給湯通路部５２ａ、上水と混合された湯水が流れる中間給湯通路部５２ｂ、下流給湯通路部５２ｃを有し、上流給湯通路部５２ａと中間給湯通路部５２ｂの間に混合弁５８を有している。上流給水通路部４７ａと中間給水通路部４７ｂの間から分岐した給水バイパス通路部５０が混合弁５８に接続され、給水バイパス通路部５０に逆止弁５１が設けられている。
【００４２】
混合弁５８において、設定温度の湯水を供給するように給水バイパス通路部５０からの低温の上水と、上流給湯通路部５２ａからの高温の湯水の混合比が調整される。中間給湯通路部５２ｂには、流量センサ６０と出湯水比例弁６１が設けられている。給水バイパス通路部５０から分岐した分岐通路部６２が中間給湯通路部５２ｂに接続され、分岐通路部６２には、高温出湯回避電磁弁６３が設けられている。
【００４３】
注湯通路６４は、給湯通路５２を流れる湯水を浴槽１９へ供給するものであり、出湯水比例弁６１の下流側であって、中間給湯通路部５２ｂと下流給湯通路部５２ｃの間から分岐されて風呂追焚回路２０に接続されている。注湯通路６４には、流量センサ６５、注湯電磁弁６６等が設けられている。
【００４４】
次に、制御ユニット９について説明する。
制御ユニット９は、貯湯給湯装置Ｍにおいて外部熱源機４２を作動させて貯湯運転や給湯運転を行うと共に、温水装置１において循環流量センサ３や温度センサ１０、循環ポンプ２等から検出信号を取得し、循環ポンプ２や補助熱源機４等の作動、各所の弁の開閉状態の切り換え及び開度調整等を制御し、各種運転（風呂追焚運転、暖房運転等）を実行する。
【００４５】
制御ユニット９は、使用者が操作可能な操作リモコン(図示略)との間でデータ通信可能であり、操作リモコンの操作により各種の設定が行われると、その信号が操作リモコンから制御ユニット９に送信される。例えば、操作リモコンにより風呂追焚運転が設定されると、その風呂追焚設定温度データ等が操作リモコンから制御ユニット９に送信される。
【００４６】
次に、風呂追焚運転について説明する。
図４に示すように、操作リモコンにより風呂追焚運転が設定されると、制御ユニット９は循環回路７において循環ポンプ２を駆動させ並列通路部１３を湯水が流れるように風呂追焚用開閉弁１５を開放すると共に、風呂追焚回路２０において風呂循環ポンプ２１を駆動して浴槽水を循環させる。循環回路７を流れる湯水は、補助熱源機４により加熱された湯水であるが、外部熱源機４２で加熱され貯湯タンク４１に貯留された湯水を循環させることもできる。
【００４７】
低温の浴槽水は風呂戻り通路部２０ｃを通って風呂循環ポンプ２１に入り、風呂循環ポンプ２１から熱交換器往き通路部２０ａを通って風呂追焚用熱交換器１４に流入し、この風呂追焚用熱交換器１４で加熱された高温の浴槽水は風呂往き通路部２０ｂを通って浴槽１９に戻る。制御ユニット９は、温度センサ１１や温度センサ２２等から循環回路７を流れる湯水の温度や追焚きされた浴槽水の温度等を取得して、循環回路７及び風呂追焚回路２０を制御し、浴槽水が所定の設定温度になるように風呂追焚運転をする。
【００４８】
次に、温水暖房運転について説明する。
図５に示すように、操作リモコンにより温水暖房運転が設定されると、制御ユニット９は循環回路７において循環ポンプ２を駆動させ並列通路部１６を湯水が流れるように温水暖房用開閉弁１８を開状態にすると共に、温水暖房回路２３において暖房水循環ポンプ２４を駆動して暖房水を循環させる。循環回路７を流れる湯水は補助熱源機４により加熱された湯水であるが、図６に示すように、外部熱源機４２で加熱され貯湯タンク４１に貯留された湯水を循環させることもできる。
【００４９】
温水暖房用熱交換器１７で加熱された暖房水は高温往き通路部２３ｂや低温往き通路部２３ｃを通って浴室乾燥機や床暖房装置等の暖房装置において放熱し、暖房戻り通路２３ｄ等を通って温水暖房用熱交換器１７に戻る。制御ユニット９は、温度センサ１１や温度センサ２６等から循環回路７を流れる湯水の温度や加熱された暖房水の温度等を取得して、循環回路７及び温水暖房回路２３を制御し、暖房水の温度が所定の設定温度になるように温水暖房運転をする。
【００５０】
次に、図７に基づいて本発明の温水装置１の循環回路監視制御について説明する。この循環回路監視制御中のリトライ動作は、図９に示すタイミングでパイロット式電磁弁を開閉するように電磁コイルが駆動され、循環ポンプがＯＮ／ＯＦＦされる。尚、Ｓｉ（ｉ＝１，２，・・・）はステップを表す。
【００５１】
上述の風呂追焚運転が開始されると、制御ユニット９は循環ポンプ２を駆動（ＯＮ）させ、並列回路部１３の風呂追焚用開閉弁１５を開放する。制御ユニット９は、運転中に使用者のリモコン操作や、各所の温度、流量、エラーの発生等を監視している。
【００５２】
まず、Ｓ１において、運転完了や運転停止操作等により運転停止の状態か否か判定する。判定がＹｅｓの場合はリターンして循環回路監視制御を終了し、判定がＮｏの場合はＳ２に進む。
【００５３】
次にＳ２において、循環ポンプ２の回転数が所定の回転数の範囲外であるか否か判定する。例えば、回転数が２００ｒｐｍ以上且つ６５００ｒｐｍ未満の範囲外であるか否か判定する。判定がＹｅｓの場合はＳ１３に進み、判定がＮｏの場合はＳ３に進む。
【００５４】
次にＳ３において、循環回路７を流れる湯水の循環流量が規定流量以上であるか否か判定する。例えば、循環流量が規定流量１Ｌ／ｍｉｎ以上か否か判定する。判定がＹｅｓの場合はＳ１に戻り、判定がＮｏの場合はＳ４に進む。
【００５５】
次にＳ４において循環回路７の循環流量が規定流量以上となるように試みるリトライ動作の回数Ｎを０（初期値）にしてＳ５に進む。
【００５６】
Ｓ５〜Ｓ７において、循環ポンプ２はＯＮの状態で、風呂追焚用開閉弁１５の開放または閉止を所定時間維持する。Ｓ５において、風呂追焚用開閉弁１５の開放状態を例えば１０秒間維持してＳ６に進む。次にＳ６において、風呂追焚用開閉弁１５の閉止状態を例えば２秒間維持してＳ７に進む。次にＳ７において、風呂追焚用開閉弁１５の開放状態を例えば３秒間維持してＳ８に進む。次にＳ８において、リトライ動作の回数Ｎを１増加させてＳ９に進む。
【００５７】
次にＳ９において、循環流量が規定流量以上であるか否か判定する。例えば、循環流量が規定流量１Ｌ／ｍｉｎ以上か否か判定する。判定がＹｅｓの場合はＳ１に戻り、判定がＮｏの場合はＳ１０に進む。
【００５８】
次にＳ１０において、リトライ動作の回数Ｎが３未満か否か判定する。判定がＹｅｓの場合はＳ１１に進み、判定がＮｏの場合はＳ１３に進む。尚、リトライ動作の回数は３回に限定されるものではなく、適宜変更可能である。
【００５９】
次にＳ１１において、風呂追焚用開閉弁１５は開放の状態で、循環ポンプ２がＯＦＦの状態を例えば５秒間維持してＳ１２に進む。Ｓ１２において、循環ポンプ２を再びＯＮにしてＳ５に戻り、上述のステップを繰り返す。
【００６０】
Ｓ２の判定がＹｅｓ、即ち循環ポンプ２や循環流量センサ３の異常が疑われる場合、及びＳ１０の判定がＮｏ、即ちリトライ動作後も循環流量が規定流量未満のため循環回路７の詰まりが疑われる場合は、Ｓ１３において、循環ポンプ２をＯＦＦにし、風呂追焚用開閉弁１５を閉止して循環回路７の循環を停止し、Ｓ１４に進む。
【００６１】
次にＳ１４において、循環回路７にエラーが発生して循環を停止したことを操作リモコンの表示や音声等により使用者に報知し、循環回路監視制御を終了する。尚、温水暖房運転においても、風呂追焚用開閉弁１５に替えて対応する並列回路部１６の温水暖房用開閉弁１８を作動させる点以外は同様である。
【実施例２】
【００６２】
図８に基づいて実施例１を部分的に変更した温水装置1の循環回路監視制御について説明する。温水装置１の構成及び循環回路監視制御の構成において、実施例１と同じ部分には同じ符号を付して説明を省略する。
【００６３】
上述の風呂追焚運転中に、Ｓ３において判定がＮｏ、つまり循環流量が規定流量未満の場合にＳ２１に進む。例えば、循環流量が規定流量１Ｌ／ｍｉｎ未満の場合にＳ２１に進む。
【００６４】
次にＳ２１において、風呂追焚運転で開放されていない他方の開閉弁に相当する温水暖房用開閉弁１８を開放し、Ｓ２２に進む。温水暖房用開閉弁１８が開放されることにより並列通路部１６にも湯水が流れる。
【００６５】
次にＳ２２において、循環流量が規定流量以上であるか否か判定する。例えば、循環流量が規定流量１Ｌ／ｍｉｎ以上か否か判定する。判定がＹｅｓの場合、並列通路部１６を湯水が正常に流れる場合は、並列通路部１３に詰まりが発生している可能性があるのでＳ２３に進む。判定がＮｏの場合、つまり並列通路部１６も湯水が正常に流れない場合は、並列通路部１３及び並列通路部１６ではない循環回路７の他の部分に異常があると判断し、Ｓ１３に進んで運転を停止し、循環回路７のエラーを報知して循環回路監視制御を終了する。
【００６６】
次にＳ２３において、温水暖房用開閉弁１８を閉止してＳ４に進み、これ以降の循環回路監視制御は実施例１と同様である。
【００６７】
次に、本発明の作用、効果について説明する。
補助熱源機４や貯湯タンク４１等に堆積したスケールなどが循環回路７に流出した場合に、パイロット式電磁開閉弁のパイロットポート３５は、１次側通路３１、２次側通路３２と比べて小径であることからスケール等がパイロットポート３５を閉塞することがある。また、パイロットポート３５に付着したスケール等を、パイロット式電磁開閉弁を閉止する際にパイロット弁３６で押さえつけ、パイロット弁３６とパイロットポート３５が固着してしまうことがある。
【００６８】
このようなパイロットポート３５の異物の噛み込みや固着に起因するパイロット式電磁開閉弁の詰まりは、上述のリトライ動作を行うことによりパイロット弁３６が複数回駆動されてパイロットポート３５の閉塞が解消され、パイロット式電磁開閉弁が正常に開閉できる状態に戻すことができ、循環流量を正常範囲に戻して風呂追焚運転や暖房運転を継続することができる。
【００６９】
また、循環ポンプ２を作動させながらパイロット式電磁開閉弁の閉止と開放を行い、パイロット式電磁開閉弁を開放させた状態で循環ポンプ２の停止と作動を行い、リトライ動作中に水流と圧力を変化させるので、パイロットポート３５の詰まりを解消する効果を高めることができる。
【００７０】
また、パイロット式電磁開閉弁を備えた複数の並列通路部が設けられている場合には、異常が発生している並列通路部を特定してリトライ動作を行うことができ、正常な状態に復帰しなかった場合に異常発生個所を絞り込んでエラーを報知することができる。
【００７１】
その他、当業者であれば、本発明の趣旨を逸脱することなく、前記実施例に種々の変更を付加した形態で実施可能であり、本発明はそのような変更形態を包含するものである。
【符号の説明】
【００７２】
１    温水装置
２    循環ポンプ
３    循環流量センサ（流量検知手段）
４    補助熱源機
５    熱交換器部
７    循環回路
８    三方弁
９    制御ユニット（制御手段）
１０，１１  温度センサ
１３，１６  並列通路部（並列通路）
１４  風呂追焚用熱交換器
１５  風呂追焚用開閉弁（パイロット式電磁開閉弁）
１７  温水暖房用熱交換器
１８  温水暖房用開閉弁（パイロット式電磁開閉弁）
２０  風呂追焚回路
２３  温水暖房回路
３５  パイロットポート
３６  パイロット弁
３７  プランジャ
３９  電磁コイル
４１  貯湯タンク
４２  外部熱源機
４４  貯湯循環回路
４７  給水通路
５２  給湯通路
５３  バイパス通路
５４  タンク出湯通路
５５  タンク通路部
５６  補助熱源機出湯通路
【図１】
0006696158.tif 000002
【図２】
0006696158.tif 000003
【図３】
0006696158.tif 000004
【図４】
0006696158.tif 000005
【図５】
0006696158.tif 000006
【図６】
0006696158.tif 000007
【図７】
0006696158.tif 000008
【図８】
0006696158.tif 000009
【図９】
0006696158.tif 000010